(57)【要約】  【課題】本発明は、リーダライタに対して非接触でデータ授受が自在であり、複数の周波数に対応したＩＣチップを搭載したＲＦＩＤ型チケットに関し、改ざんを防止可能とし、複数周波数に対する複数場所での使用可能性と再度使用の制限とを両立可能とさせることを目的とする。  【解決手段】本発明に係るＲＦＩＤ型チケット１１は、破断されることを受容する部材で形成される基部１２に、例えば３種類の周波数に対応するＩＣチップ２１を搭載させると共に、当該３種類の周波数毎に対応する複数の第１アンテナ２３、第２アンテナ２５Ａ，２５Ｂ、第３アンテナ２６Ａ，２６Ｂを、当該アンテナ毎に他のアンテナ部に影響を与えずに使用不能に破断させる形状でそれぞれ形成させる構成とする。  【選択図】  図１
2005284515.tif 000002
【特許請求の範囲】
【請求項１】
複数場所での複数の周波数でリーダライタと非接触による交信が自在であり、使用場所に応じた表示が施されるＲＦＩＤ型チケットであって、
複数の周波数に対応して、前記リーダライタとの間でデータ授受を行うＩＣチップと、
前記ＩＣチップに対して、周波数毎に所定形状で形成される複数のアンテナ部と、
破断されることを受容する部材で形成され、前記複数のアンテナ部が当該アンテナ部毎に他のアンテナ部に影響を与えずに使用不能に破断される形状でそれぞれ形成されると共に、前記ＩＣチップが搭載されてアンテナ回路が形成される基部と、
を有することを特徴とするＲＦＩＤ型チケット。
【請求項２】
請求項１記載のＲＦＩＤ型チケットであって、少なくとも前記基部に、前記複数のアンテナ部を当該アンテナ部毎に他のアンテナ部に影響を与えずに使用不能に破断させるための切取線がそれぞれ形成されることを特徴とするＲＦＩＤ型チケット。
【請求項３】
請求項２記載のＲＦＩＤ型チケットであって、前記切取線の端部に切り取りをガイドするための切取ガイド部が形成されることを特徴とするＲＦＩＤ型チケット。
【発明の詳細な説明】
【技術分野】
【０００１】
本発明は、リーダライタに対して非接触でデータ授受が自在であり、複数の周波数に対応したＩＣチップを搭載したＲＦＩＤ型チケットに関する。
【背景技術】
【０００２】
近年、ＲＦＩＤ（Ｒａｄｉｏ  Ｆｒｅｑｕｅｎｃｙ  Ｉｄｅｎｔｉｆｉｃａｔｉｏｎ）と称される非接触型ＩＣメディアに関する技術が急速に進歩してきており、非接触型のＩＣカードやＩＣタグ等に搭載されるＩＣチップが小型かつ安価になってきている。このようなＲＦＩＤ型のＩＣチップを使用しての適用範囲の拡大が望まれる。
【０００３】
従来、ＲＦＩＤ型のＩＣチップを使用した非接触型ＩＣメディアの種類が多岐に亘っているが、その中でもチケットとして適用させることも、例えば以下の特許文献で知られている。
【０００４】
【特許文献１】特表２００３−５２９１６３号公報
【０００５】
上記特許文献には、コイル及びコンデンサで形成される共振回路からなるＲＦＩＤラベルに関して、共振回路の共振周波数を調整する付加部材を製造後にＲＦＩＤラベルの表面に貼付し、この付加部材により共振周波数の正確な調整等を行うというもので、例えば段落［０００３］にスキーリフトチケットに利用されていることが開示されている。
【発明の開示】
【発明が解決しようとする課題】
【０００６】
ところで、上記特許文献に記載されているＲＦＩＤ型ラベル（チケット）は、単一の周波数での交信精度が向上されているが、あくまでも単一の周波数でしか交信することができず、使用回数の制限に対応することができても、一度使用済にすると交信を行うことができなくなる。例えば、データ処理により使用済のデータを記憶させて以降の使用を制限することも可能であるが、データ的に処理できることは改ざんの容易性も否定できないことから、結局は破壊により以降の使用を不可能とさせざるを得ない。そうすると、複数の場所で使用可能で再度使用を制限させるような場合には適用することができないという問題がある。また、複数の周波数に同時に対応できるＲＦＩＤ型のチケットの存在はない。
【０００７】
そこで、本発明は上記課題に鑑みなされたもので、改ざんを防止可能とし、複数周波数に対する複数場所での使用可能性と再度使用の制限とを両立可能とさせるＲＦＩＤ型チケットを提供することを目的とする。
【課題を解決するための手段】
【０００８】
上記課題を解決するために、請求項１の発明では、複数場所での複数の周波数でリーダライタと非接触による交信が自在であり、使用場所に応じた表示が施されるＲＦＩＤ型チケットであって、複数の周波数に対応して、前記リーダライタとの間でデータ授受を行うＩＣチップと、前記ＩＣチップに対して、周波数毎に所定形状で形成される複数のアンテナ部と、破断されることを受容する部材で形成され、前記複数のアンテナ部が当該アンテナ部毎に他のアンテナ部に影響を与えずに使用不能に破断される形状でそれぞれ形成されると共に、前記ＩＣチップが搭載されてアンテナ回路が形成される基部と、を有する構成とする。
【０００９】
請求項２、３の発明では、「少なくとも前記基部に、前記複数のアンテナ部を当該アンテナ部毎に他のアンテナ部に影響を与えずに使用不能に破断させるための切取線がそれぞれ形成される」構成であり、
「前記切取線の端部に切り取りをガイドするための切取ガイド部が形成される」構成である。
【発明の効果】
【００１０】
本発明によれば、破断されることを受容する部材で形成される基部に、複数周波数に対応するＩＣチップを搭載させると共に、当該複数周波数毎に対応する複数のアンテナ部を、当該アンテナ部毎に他のアンテナ部に影響を与えずに使用不能に破断させる形状でそれぞれ形成させることにより、一のアンテナ部を使用不能に破断させても他のアンテナ部では交信が可能とされることから、複数周波数に対する複数場所での使用可能性と再度使用の制限とを両立可能とさせることができると共に、使用済に応じた周波数のアンテナ部を破断させることから改ざんを防止可能とさせることができるものである。
【発明を実施するための最良の形態】
【００１１】
以下、本発明の最良の実施形態を図により説明する。本実施形態では、複数の周波数に同時に対応可能なＩＣチップとして、株式会社エフイーシー製のＩＣチップ（商品名「ＭＭチップ」）を使用する場合を説明すると共に、対応の周波数を例えば３種類の周波数（１３．５６ＭＨｚ、９５０ＭＨｚ、２．４５ＧＨｚ）として説明するが、これは現在の電波法により規制された周波数として示すものであって、異なる周波数であっても本願発明の技術思想に影響を与えるものではない。
【００１２】
図１に、本発明に係るＲＦＩＤ型チケットの構成図を示す。図１（Ａ）はＲＦＩＤ型チケットの表面を示した平面図、図１（Ｂ）は図１（Ａ）のＡ−Ａ断面図、図１（Ｃ）は図１（Ａ）のＢ−Ｂ断面図、図１（Ｄ）はアンテナおよびＩＣチップで構成されるアンテナ回路の概念図である。図１（Ａ）〜（Ｄ）において、ＲＦＩＤ型チケット１１は、例えば複数（３種類）の展示館（Ａ館、Ｂ館、Ｃ館）でそれぞれ使用される入場券として構成したものである（後述の図２で説明する）。
【００１３】
上記ＲＦＩＤ型チケット１１は、例えば基部１２と表示部１３とが積層された形態であり、共に、破断を受容する部材である。例えば、後述の破断手段の形態に応じて紙材、フィルム、プラスティック等が使用される。基部１２上には、複数の周波数に同時に対応可能なＩＣチップ２１を搭載させるための接続パッド２２Ａ，２２Ｂが形成される。例えば、接続パッド２２Ａが外部アンテナ端子ともなり、接続パッド２２ＢがＣＯＭ端子ともなる。
【００１４】
また、基部１２上には、図示の如く、長手形状で所定数巻回されたコイルが第１アンテナ部２３として形成されるもので、一端が接続パッド２２Ａに接続され、他端がコイル上に形成された絶縁部２４の表面上を懸架されるように接続パッド２２Ｂに接続される。この第１アンテナ部２３が周波数１３．５６ＭＨｚに対応したものとなる。また、当該第１アンテナ部２３を両側で囲むように、例えば直角形状で第２アンテナ部２５Ａ，２５Ｂが形成される。この第２アンテナ部２５Ａ，２５Ｂは、例えば周波数９５０ＭＨｚに対応した長さを確保された形状であり、当該第２アンテナ部２５Ａが接続パッド２２Ａに接続され、第２アンテナ２５Ｂが接続パッド２２Ｂに接続される。
【００１５】
この場合、上記第２アンテナ部２５Ａ，２５Ｂは、少なくとも第１アンテナ部２３の長手方向に対して短い長さの形状で形成される（なお、図示しないが第２アンテナ部２５Ａ，２５Ｂの方が長くてもよい）。すなわち、第１アンテナ部２３は、これが破断される場合に第２アンテナ部２５Ａ，２５Ｂが影響されない領域上および長さで形成されるものである（逆に、第２アンテナ部２５Ａ，２５Ｂが長い場合には、当該第２アンテナ部２５Ａ，２５Ｂの破断時に第１アンテナ部２３が影響されない領域および長さである）。
【００１６】
一方、第３アンテナ部２６Ａ，２６Ｂは、例えば上記第１アンテナ部２３および第２アンテナ部２５Ａ，２５Ｂとは無関係な領域に、例えば「く」の字状で形成される。当該第３アンテナ部２６Ａは接続パッド２２Ａに接続され、第３アンテナ部２６Ｂは接続パッド２２Ｂに接続される。この第３アンテナ部２６Ａ，２６Ｂが周波数２．４５ＧＨｚに対応したものとなる。すなわち、当該第３アンテナ部２６Ａ，２６Ｂが破断される場合には、他の第１アンテナ部２３および第２アンテナ部２５Ａ，２５Ｂに影響を与えないものである。
【００１７】
上記接続パッド２２Ａ，２２Ｂ、第１アンテナ部２３、第２アンテナ部２５Ａ，２５Ｂおよび第３アンテナ部２６Ａ，２６Ｂ（それぞれの接続ラインも含む）は、基部１２上に例えば導電性インキにより所定の印刷工程で形成させることができ、上記絶縁部２４においても絶縁性インキにより所定の印刷工程で形成させることもできる。また、蒸着、エッチングや、薄膜金属の貼り付けによっても形成させることができる。ところで、それぞれの周波数に対応する各アンテナの長さは、従前の設計手法で定められるもので、ここでの説明は省略する（例えば、本件出願人の出願である特願２００４−６２７５１号を参照）。
【００１８】
一方、表示部１３上には、例えば入場券としての表示と、適宜、３種類の周波数に応じた使用場所（Ａ館〜Ｃ館）に応じた表示が施される。例えば、第１アンテナ部２３の周波数を使用するＡ館に応じた破断対象領域１４Ａ、第２アンテナ部２５Ａ，２５Ｂの周波数を使用するＢ館に応じた破断対象領域１４Ｂ（１４Ｂ１，１４Ｂ２）および第３アンテナ部２６Ａ，２６Ｂの周波数をしようするＣ館に応じた破断対象領域１４Ｃに、それぞれ対応した表示がなされる。
【００１９】
なお、図１（Ａ）に示す二点差線は各破断対象領域１４Ａ，１４Ｂ１，１４Ｂ２，１４Ｃを便宜的に示したもので、この領域上で各アンテナ部の破断が他のアンテナ部に影響を与えずに行われるものである。ところで、ＲＦＩＤ型チケット１１を基部１２だけで構成させることも可能であり、この場合には基部１２の各アンテナ部が形成される面の反対面上を表示面としてもよく、アンテナ形成面上に所定の保護層等を形成してもよい。
【００２０】
ここで、図２に、図１に示すＲＦＩＤ型チケットの一適用の説明図を示す。図２（Ａ）は本願発明のＲＦＩＤ型チケット１１が適用される一例の概念図、図２（Ｂ）は図２（Ａ）で使用されるリーダライタシステムの説明図である。図２（Ａ）、（Ｂ）において、例えば展覧会場等のチケット使用会場３１内には所定数（ここでは３つ）のパビリオン等のチケット使用館（Ａ館〜Ｃ館）３２Ａ〜３２Ｃがあり、それぞれに入館ゲートにリーダライタシステム３３が設置される。
【００２１】
例えば、Ａ館３２Ａに設置されたリーダライタシステム３３は１３．５６ＭＨｚの周波数でＲＦＩＤ型チケット１１と交信自在とされ、Ｂ館３２Ｂに設置されたリーダライタシステム３３は９５０ＭＨｚの周波数でＲＦＩＤ型チケット１１と交信自在とされ、Ｃ館３２Ｃに設置されたリーダライタシステム３３は２．４５ＧＨｚの周波数でＲＦＩＤ型チケット１１と交信自在とされる。そして、入館者が所持したＲＦＩＤ型チケット１１を各チケット使用館でリーダライタシステム３１に挿入させることで、当該ＲＦＩＤ型チケット１１のＩＣチップ２１と交信を行い、正規のチケットであると判断したときに対応の周波数として形成されたアンテナ部を破断させて、以降の使用を不能とさせるものである。
【００２２】
そこで、図３に、図１に示すＲＦＩＤ型チケットに対するリーダライタシステムの一例の説明図を示す。図３（Ａ）はリーダライタシステムの内部概念図、図３（Ｂ）はリーダライタのブロック構成図である。図３（Ａ）においてリーダライタシステム３１は、ローラ等の搬送手段４１が設けられ、所定位置の上方にリーダライタ４２が配置される。また、リーダライタ４２の排出側には破断手段４３が配置されるものである。破断手段４３としては、例えば押し刃、ロール刃、パンチング等で構成されもので、搬送されるＲＦＩＤ型チケット１１との交信周波数に応じた破断対象領域１４Ａ〜１４Ｃに応じた位置に設置されるものである。なお、破断手段４３の下方には破断支持台４４が配置される。
【００２３】
また、図３（Ｂ）において、まず、ＲＦＩＤ型チケット１１について説明する。ＲＦＩＤ型チケット１１は、上記ＩＣチップ２１が例えば制御回路部５１、メモリ５２、変復調回路部５３、電源回路部５４および検波回路部５５で構成されると共に、各第１〜第３アンテナ部２３〜２６が上記変復調回路部５３および検波回路部５５に接続されたものである。制御回路部５１は、プログラムにより、受信した制御信号、データをメモリ５２に記憶させ、またメモリ５２に記憶したデータを適宜多重化させて送信する処理を行うもので、メモリ５２は当該チケットに関する情報を記憶するためのものである。
【００２４】
上記変復調回路部５３は、各アンテナ部の何れかより受信した電波から制御信号、データを復調し、適宜コード変換すると共に、何れかのアンテナ部よりメモリ５２に記憶された当該チケットに関するデータをリーダライタ４２に送信するためにエンコード（適宜、多重化）する。また、検波回路部５５は、リーダライタ４２側からの送信信号の周波数を検波するもので、上記のように３種類の周波数のうちの一つの周波数を検波する。そして、電源回路部５４は、クロックジェネレータを備え、検波された周波数のキャリアを直流電源に変換してそれぞれに電源供給するものである。
【００２５】
一方、リーダライタ４２は、制御回路部６２，メモリ６２、変復調回路部６３、発振回路部６４、電力増幅回路部６５、検波回路部６６、アンテナ６７および電源回路部６８を適宜備える。上記制御回路部６１は、このリーダライタ４２の全体を統括制御するもので、これに応じたプログラムがセットされている。上記メモリ６２は、当該ＲＦＩＤ型チケット１１等に関するデータを記憶する。上記データには、例えば、チケット個別コード、使用日時範囲、入館者数、入館日時等がある。
【００２６】
上記変復調回路部６３は、適宜、ＲＦＩＤ型チケット１１に対して情報を送信する場合の情報を例えば「１」、「０」に変換し、またＲＦＩＤ型チケット１１からの送信データを例えば「１」、「０」に変換するデータ変換回路を備えるもので、発振回路部６４からの発振出力に基づいて送信する情報を例えばＦＳＫ（周波数偏位変調）変調波に変調すると共に、当該ＲＦＩＤ型チケット１１からの情報を復調する。上記電力増幅回路部６５は、変復調回路部６３で変調された変調波を電力増幅するもので、この増幅された変調波がアンテナ６７より送信されるものである。そして、検波部６６は、アンテナ６７で受信した当該ＲＦＩＤ型チケット１１からの送信電波を検波するものである。
【００２７】
すなわち、リーダライタ４２は、ＲＦＩＤ型チケット１１が搬送されてきたときに、当該ＲＦＩＤ型チケット１１内のメモリ５２に記憶されている所定の情報を読み取るための信号を該当の周波数で出力する。するとＲＦＩＤ型チケット１１では送られてきた信号の周波数のキャリアで直流電源を生成し、当該電源による制御回路部５１の動作で所望の情報をリーダライタ４２に送信する。リーダライタ４２では受信した情報に基づいて当該チケットに関する所定のデータ処理を行うものである。
【００２８】
そして、上記のようにリーダライタシステム３１内でリーダライタ４２との交信が当該周波数によって終了すると、破断支持台４４上で当該交信周波数に応じた破断対象領域１４Ａ〜１４Ｃの何れかを破断手段４３により破断させて、以降において当該周波数では使用不能とするものである。
【００２９】
そこで、図４に、図１に示すＲＦＩＤ型チケットの使用形態の説明図を示す。図４（Ａ）において、例えば図２（Ａ）に示すようなＡ館（周波数１３．５６ＭＨｚ使用）でＲＦＩＤ型チケット１１を使用すると、破断手段４３において当該ＲＦＩＤ型チケット１１の破断対象領域１４Ａが破断されて分離される。これにより、第１アンテナ部２３が切断された状態となり、以降において当該第１アンテナ部２３を使用した交信が不能となる。すなわち、当該Ａ館を退場した後は再度Ａ館に入場することができなくなるものである。
【００３０】
また、図４（Ｂ）に示すように、Ｂ館（周波数９５０ＭＨｚ使用）でＲＦＩＤ型チケット１１を使用すると、破断手段４３において当該ＲＦＩＤ型チケット１１の破断対象領域１４Ｂ１，１４Ｂ２における第２アンテナ部２５Ａ，２５Ｂの所定位置で破断部７１Ａ，７１Ｂが形成されることで破断されることにより、第２アンテナ部２５Ａ，２５Ｂが切断されて以降の交信が不能となるもので、当該Ｂ館を退場した後は再度Ｂ館に入場することができなくなるものである。
【００３１】
さらに、図４（Ｃ）に示すように、同様に、Ｃ館（周波数２．４５ＧＨｚ使用）でＲＦＩＤ型チケット１１を使用すると、破断手段４３において当該ＲＦＩＤ型チケット１１の破断対象領域１４Ｃにおける当該第３アンテナ部２６Ａ，２６Ｂの所定位置に貫通部７２Ａ，７２Ｂが形成されることで破断されることにより、第３アンテナ部２６Ａ，２６Ｂが切断されて以降の交信が不能となるもので、当該Ｃ館を退場した後は再度Ｃ館に入場することができなくなるものである。
【００３２】
このように、第１〜第３アンテナ部２３，２５Ａ，２５Ｂ，２６Ａ，２６Ｂのうちの、一のアンテナ部を使用不能に破断させても他のアンテナ部では交信が可能とされることから、複数周波数に対する複数場所での使用可能性と再度使用の制限とを両立可能とさせることができると共に、使用済に応じた周波数のアンテナ部を破断させることから改ざんを防止可能とさせることができるものである。
【００３３】
なお、第１〜第３アンテナ部２３，２５Ａ，２５Ｂ，２６Ａ，２６Ｂを破断させる形態は、上記の例に拘わらず総てのアンテナ部に貫通部を形成させる場合でもよく、必要に応じて設定できるものである。
【００３４】
次に、図５に、本発明に係るＲＦＩＤ型チケットの他の構成図を示す。図５（Ａ）はＲＦＩＤ型チケットの表面を示した平面図、図５（Ｂ）はアンテナおよびＩＣチップで構成されるアンテナ回路の概念図である。なお、図１のＲＦＩＤ型チケット１１と同一の構成部分については同一の符号を付して説明を省略する。
【００３５】
図５（Ａ）、（Ｂ）において、ＲＦＩＤ型チケット９１は、破断対象領域１４Ａを手動で分離可能とする切取線８１を形成し、破断対象領域１４Ｂ１，１４Ｂ２を手動で分離可能とする切取線８２Ａ，８２Ｂを形成し、そして破断対象領域１４Ｃを手動で分離可能とする切取線８３を形成したものである。また、各切取線８１〜８３の両端（一端でもよい）には、切り取りを容易にさせるためのガイドとする切取ガイド部９２がそれぞれ形成される。そして、第２および第３アンテナ部２５Ａ，２５Ｂ，２６Ａ，２６Ｂであって、上記切取線８２Ａ，８２Ｂ，８３と交差する部分が幅細形状で形成されるもので、特に当該第２および第３アンテナ部２５Ａ，２５Ｂ，２６Ａ，２６Ｂを金属材で形成させた場合に破断させ易くする意味で有効である。
【００３６】
なお、本実施形態は、手動により破断させて対象のアンテナ部を使用不能とさせるためのものであり、そのための基部１２（表示部１３）は紙材を使用することが望ましい。したがって、当該ＲＦＩＤ型チケット１１が使用される場合には、図３（Ａ）に示されるような破断手段４３は不要であり、リーダライタシステム３１としてはリーダライタ４２のみで充分である。
【００３７】
そこで、図６に、図５に示すＲＦＩＤ型チケットの使用形態の説明図を示す。ここでは、図２（Ａ）の適用例として説明する。すなわち、図６（Ａ）において、例えば図２（Ａ）に示すようなＡ館（周波数１３．５６ＭＨｚ使用）でＲＦＩＤ型チケット９１を使用すると、例えば係員により切取線８１より破断対象領域１４Ａが破断されて分離される。これにより、第１アンテナ部２３が切断された状態となり、以降において当該第１アンテナ部２３を使用した交信が不能となる。すなわち、当該Ａ館を退場した後は再度Ａ館に入場することができなくなる。
【００３８】
また、図６（Ｂ）に示すように、Ｂ館（周波数９５０ＭＨｚ使用）でＲＦＩＤ型チケット１１を使用すると、例えば係員により当該ＲＦＩＤ型チケット９１の破断対象領域１４Ｂ１，１４Ｂ２が切取線８２Ａ，８２Ｂで破断されて切取片９３Ａ，９３Ｂが分離されることで当該第２アンテナ部２５Ａ，２５Ｂが切断されて以降の交信が不能となるもので、当該Ｂ館を退場した後は再度Ｂ館に入場することができなくなる。
【００３９】
そして、図６（Ｃ）に示すように、同様に、Ｃ館（周波数２．４５ＧＨｚ使用）でＲＦＩＤ型チケット９１を使用すると、例えば係員により切取線８３より破断対象領域１４Ｃが破断されて分離される。これにより、第３アンテナ部２６Ａ，２６Ｂが切断された状態となり、以降において当該第３アンテナ部２６Ａ，２６Ｂを使用した交信が不能となる。すなわち、当該Ｃ館を退場した後は再度Ｃ館に入場することができなくなるものである。
【００４０】
このように、第１〜第３アンテナ部２３，２５Ａ，２５Ｂ，２６Ａ，２６Ｂのうちの、一のアンテナ部を切取線で手動によって使用不能に破断させても他のアンテナ部では交信が可能とされることから、複数周波数に対する複数場所での使用可能性と再度使用の制限とを両立可能とさせることができると共に、使用済に応じた周波数のアンテナ部を破断させることから改ざんを防止可能とさせることができるものである。また、切り取りによる破断に際して切取線８１〜８３および切取ガイド部９２を形成させることにより、容易に切り取りを行わせることができるものである。なお、アンテナの材質や周波数等の各種条件によっては、実測データに基づいてアンテナ長さや切取線や破断の位置が調整されも場合もある。
【産業上の利用可能性】
【００４１】
本発明のＲＦＩＤ型チケットは、複数周波数に対する複数場所での使用を可能とするが再度使用を制限する、例えば博覧会、展覧会、遊園地等での再度の入場を規制させるような場所で使用されるのに適する。
【図面の簡単な説明】
【００４２】
【図１】本発明に係るＲＦＩＤ型チケットの構成図である。
【図２】図１に示すＲＦＩＤ型チケットの一適用の説明図である。
【図３】図１に示すＲＦＩＤ型チケットに対するリーダライタシステムの一例の説明図である。
【図４】図１に示すＲＦＩＤ型チケットの使用形態の説明図である。
【図５】本発明に係るＲＦＩＤ型チケットの他の構成図である。
【図６】図５に示すＲＦＩＤ型チケットの使用形態の説明図である。
【符号の説明】
【００４３】
１１，９１      ＲＦＩＤ型チケット
１２            基部
１３            表示部
１４            破断対象領域
２１            ＩＣチップ
２３            第１アンテナ部
２５            第２アンテナ部
２６            第３アンテナ部
４２            リーダライタ
４３            破断手段
７１            破断部
７２            貫通部
８１〜８３      切取線
９２            切取ガイド部
【図１】
2005284515.tif 000003
【図２】
2005284515.tif 000004
【図３】
2005284515.tif 000005
【図４】
2005284515.tif 000006
【図５】
2005284515.tif 000007
【図６】
2005284515.tif 000008